(57)【要約】【課題】未契約の放送サービス（番組）の契約追加の処理が自動化されていないため、加入者にとっては手続きが面倒であり、放送事業者にとっては契約処理を行う人員を常時確保する必要があった。【解決手段】第二のネットワークを利用し放送事業者装置１１が提供する番組登録情報が記載された番組情報に対する双方向デジタル放送受信機２１からの契約追加指示又は契約解除指示に基づき双方向デジタル放送受信機２１から受信する第一の識別情報と番組登録情報とにより、双方向デジタル放送受信機２１の契約登録情報を更新することを特徴とする放送事業者装置。【選択図】図１
2011003945.tif 000002
【特許請求の範囲】
【請求項１】
放送事業者装置と、
第一の識別情報と前記第一の識別情報に関連づけられた契約登録情報を保持し、前記放送事業者装置からの信号を第一のネットワークを利用して限定受信すると共に、前記放送事業者装置と第二のネットワークを利用して双方向通信する双方向デジタル放送受信機と、
を含む双方向デジタルネットワークシステムにおいて、
前記第二のネットワークを利用し前記放送事業者装置が提供する番組登録情報が記載された番組情報に対する前記双方向デジタル放送受信機からの契約追加指示又は契約解除指示に基づき前記双方向デジタル放送受信機から受信する前記第一の識別情報と前記番組登録情報とにより、前記双方向デジタル放送受信機の前記契約登録情報を更新する
ことを特徴とする放送事業者装置。
【請求項２】
前記双方向デジタル放送受信機からの契約追加指示又は契約解除指示に基づき前記双方向デジタル放送受信機から前記第一の識別情報と前記番組登録情報を受信するポータルサーバと、
前記双方向デジタル放送受信機が保持する前記第一の識別情報と前記第一の識別情報に関連付けられた契約登録情報と同一の情報を保持するシステム管理部とを備え、
前記ポータルサーバは、前記双方向デジタル放送受信機から受信した前記第一の識別情報と前記番組登録情報を前記システム管理部に送信し、
前記システム管理部は、前記保持する前記ポータルサーバから受信した前記第一の識別情報と同一の第一の識別情報に関連付けられた契約登録情報に前記ポータルサーバから受信した前記番組登録情報を加算又は減算する
ことを特徴とする請求項１記載の放送事業者装置。
【請求項３】
前記双方向デジタル放送受信機は、前記第一の識別情報に関連づけられた第二の識別情報をさらに保持し、
前記システム管理部は、前記双方向デジタル放送受信機が保持する前記第二の識別情報と同一の情報をさらに保持し、
前記ポータルサーバは、前記双方向デジタル放送受信機からの契約追加指示又は契約解除指示に基づき前記双方向デジタル放送受信機から前記第一の識別情報と前記第二の識別情報と前記番組登録情報を受信し、前記双方向デジタル放送受信機から受信した前記第一の識別情報と前記第二の識別情報と前記番組登録情報を前記システム管理部に送信し、
前記システム管理部は、前記保持する第二の識別情報と前記ポータルサーバから受信した前記第二の識別情報とが一致する場合のみ、前記ポータルサーバから受信した前記第一の識別情報と同一の第一の識別情報に関連付けられた契約登録情報に前記ポータルサーバから受信した前記番組登録情報を加算又は減算する
ことを特徴とする請求項２記載の放送事業者装置。
【請求項４】
前記ポータルサーバは、前記双方向デジタル放送受信機から受信した前記第一の識別情報と前記番組登録情報を前記システム管理部に送信した後、前記システム管理部が加算又は減算した前記第一の識別情報に関連付けられた契約登録情報を前記システム管理部から受信し、前記システム管理部から受信した前記第一の識別情報に関連付けられた契約登録情報を前記第二のネットワークを利用して前記双方向デジタル放送受信機に送信し、前記双方向デジタル放送受信機から送信応答を得る
ことを特徴とする請求項２記載の放送事業者装置。
【請求項５】
第一の識別情報と前記第一の識別情報に関連づけられた契約登録情報を保持し、該放送事業者装置からの信号を第一のネットワークを利用して限定受信すると共に、前記放送事業者装置と第二のネットワークを利用して双方向通信する双方向デジタル放送受信機と、
前記第二のネットワークを利用し前記双方向デジタル放送受信機に提供する番組登録情報が記載された番組情報に対する前記双方向デジタル放送受信機からの契約追加指示又は契約解除指示に基づき前記双方向デジタル放送受信機から受信する前記第一の識別情報と前記番組登録情報とにより、前記双方向デジタル放送受信機の前記契約登録情報を更新する放送事業者装置と
を含む双方向デジタルネットワークシステム。
【発明の詳細な説明】
【技術分野】
【０００１】
本発明は双方向デジタル放送ネットワークシステムにおけるデジタル放送サービス（番組）の提供について、未契約の放送サービス（番組）の契約追加の処理を自動化した放送事業者装置に関するものである。
【背景技術】
【０００２】
現在のデジタル放送における限定受信（Ｃｏｄｉｔｉｏｎａｌ  Ａｃｃｅｓｓ  Ｓｙｓｔｅｍ：以降ＣＡＳと略す）の仕組みは、日本においては電波産業界（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：通称ＡＲＩＢと称す）で規格化され、この規格を元にＢＳや地上デジタル放送及びデジタルＣＡＴＶ放送で運用されている（非特許文献１参照）。
【０００３】
具体的には、放送事業者装置から送信される放送に多重されたＥＣＭ（Ｅｎｔｉｔｌｅｍｅｎｔ  Ｃｏｎｔｒｏｌ  Ｍｅｓｓａｇｅ）内の番組登録情報と、各デジタル放送受信機に装着されたＣＡＳカードに向けて送信されるＥＭＭ（Ｅｎｔｉｔｌｅｍｅｎｔ  Ｍａｎａｇｅｍｅｎｔ  Ｍｅｓｓａｇｅ）内の契約登録情報の一致をもって、スクランブルされた放送信号の復号鍵をＣＡＳカードからデジタル放送受信機に与えることにより、加入者は契約した放送サービス（番組）を視聴することができる。
【０００４】
図８は、従来のデジタル放送ネットワークシステムの構成図である。
【０００５】
加入者は、デジタル放送受信機１１３（ａ）で放送事業者が提供する番組案内や電子番組ガイド（Ｅｌｅｃｔｒｏｎｉｃ  Ｐｒｏｇｒａｍ  Ｇｕｉｄｅ：以降ＥＰＧと略す）を見て、未契約の放送サービス（番組）を追加したい場合、放送事業者に電話をして追加したい放送サービス（番組）とＣＡＳカード番号を口頭で伝える。放送事業者のオペレータは、該当するＣＡＳカード番号に対して放送サービス（番組）追加の処理を加入者情報登録装置１１２にて行う。加入者の放送サービス（番組）追加の処理が行われると、加入者情報登録装置１１２から契約追加情報が放送事業者装置１１１（ａ）に送信され、放送系ネットワーク１１５を通じて、デジタル放送受信機１１３（ａ）に契約追加用のＥＭＭが発行される。
【０００６】
図９は、図８のデジタル放送ネットワークシステム１００にポータルサーバ１２５及び通信系ネットワーク１１６を追加した従来の双方向デジタル放送ネットワークシステムの構成図である。
【０００７】
図９に示すように、双方向デジタル放送受信機１１３（ｂ）を使用し、放送事業者が運用するポータルサービスを利用し、認証情報をポータルサーバに通知する提案もなされている（特許文献１参照）。
【先行技術文献】
【特許文献】
【０００８】
【特許文献１】特開２００７−３３６０３０号公報
【非特許文献】
【０００９】
【非特許文献１】（社）電波産業会「デジタル放送におけるアクセス制御方式標準規格」ＡＲＩＢ  ＳＴＤ−Ｂ２５
【発明の概要】
【発明が解決しようとする課題】
【００１０】
しかしながら、前記従来の構成では、契約登録情報の管理は、放送事業者の収益につながる業務のため、厳密に管理された加入者情報登録装置１１２経由放送事業者装置１１１（ａ）、１１１（ｂ）でしか行えなかった。
【００１１】
加入者にとっては、アダルト等の番組について、放送事業者のオペレータに言いづらいという面もあり、上述のような面倒な手続きなしに、契約追加の手続きを行いたいという欲求がある。一方、放送事業者にとっても、このような処理を行うオペレータを２４時間３６５日用意しておく必要があり、特に、深夜等も含め経済的な面で契約追加の処理を自動化したいという欲求がある。また、このような契約追加の処理の自動化は、一般的な時代の要請でもある。
【００１２】
また、認証情報をポータルサーバに通知する場合においても、ＥＭＭは放送事業者装置１１１（ｂ）からデジタル放送受信機１１３（ｂ）への一方向性のため、放送事業者装置１１１（ｂ）と連携し、契約追加のＥＭＭを要求するような仕組みはなかった。
【００１３】
本発明は、前記従来の課題を解決するもので、ポータルサービス画面を通して、加入者による未契約の放送サービス（番組）の契約追加の処理を自動化することで、加入者の利便性と放送事業者の運用性を向上することが可能な放送事業者装置を提供することを目的とする。
【課題を解決するための手段】
【００１４】
前記従来の課題を解決するために、本発明の放送事業者装置は、放送事業者装置と、第一の識別情報と前記第一の識別情報に関連づけられた契約登録情報を保持し、前記放送事業者装置からの信号を第一のネットワークを利用して限定受信すると共に、前記放送事業者装置と第二のネットワークを利用して双方向通信する双方向デジタル放送受信機と、を含む双方向デジタルネットワークシステムにおいて、前記第二のネットワークを利用し前記放送事業者装置が提供する番組登録情報が記載された番組情報に対する前記双方向デジタル放送受信機からの契約追加指示又は契約解除指示に基づき前記双方向デジタル放送受信機から受信する前記第一の識別情報と前記番組登録情報とにより、前記双方向デジタル放送受信機の前記契約登録情報を更新することを特徴とする。
【発明の効果】
【００１５】
本発明の放送事業者装置によれば、ポータルサービス画面を通して、加入者による未契約の放送サービス（番組）の契約追加の処理を自動化することで、加入者の利便性と放送事業者の運用性の向上を図ることが可能となる。
【図面の簡単な説明】
【００１６】
【図１】本発明の実施例１における双方向デジタル放送ネットワークシステムの構成図
【図２】本発明の実施例１における契約登録情報と番組登録情報を示す図
【図３】本発明の実施例１におけるポータルサービス画面を示す図
【図４】本発明の実施例１におけるポータルサービス画面のおすすめ番組の一覧を示す図
【図５】本発明の実施例１におけるポータル画面のおすすめ番組を示す図
【図６】本発明の実施例１におけるポータル画面のおすすめ番組の未契約時の表示を示す図
【図７】本発明の実施例２における双方向デジタル放送ネットワークシステムの構成図
【図８】従来のデジタル放送ネットワークシステムの構成図
【図９】従来の双方向デジタル放送ネットワークシステムの構成図
【発明を実施するための形態】
【００１７】
以下本発明を実施するための最良の形態について、図面を参照しながら説明する。
【実施例１】
【００１８】
図１は、本発明の実施例１における双方向デジタル放送ネットワークシステムである。なお、従来のデジタル放送ネットワークシステムと同じ構成のものには、同じ番号を付している。
【００１９】
双方向デジタル放送ネットワークシステム１は、加入者情報登録装置１１２、放送事業者装置１１、双方向デジタル放送受信機２１、放送系ネットワーク１１５及び通信系ネットワーク１１６から構成される。
【００２０】
放送事業者装置１１は、システム管理装置３１、ポータルサーバ３２、ＥＣＭ生成装置１２２、ＥＭＭ生成装置１２３及びスクランブラ１２４から構成される。
【００２１】
また、双方向デジタル放送受信機２１は、有料放送等の限定受信を可能にするためのＣＡＳカード１１４が装着されて使用される。
【００２２】
加入者情報登録装置１１２には、加入者宅に設置する双方向デジタル放送受信機２１に装着した限定受信処理を行うＣＡＳカード１１４の固有の識別番号（ＣＡＳＩＤ）に対して、その契約内容（契約登録情報）が紐付けられて登録されている。加入者情報登録装置１１２は、登録されているＣＡＳＩＤ及びこれに紐付けされた契約登録情報を放送事業者装置１１内のシステム管理装置３１に送信する。システム管理装置３１に送信されたＣＡＳＩＤ及びこれに紐付けされた契約登録情報はＥＭＭ生成装置１２３でＥＭＭに組込まれる。その後、契約登録情報が組込まれたＥＭＭはスクランブラ１２４に送信され、放送系ネットワーク１１５を通じて双方向デジタル放送受信機２１に送信される。また、スクランブラ１２４で各放送サービス（番組）の放送信号に番組登録情報が組込まれたＥＣＭ（後述）が多重化されスクランブルされた後、放送系ネットワーク１１５を通じて双方向デジタル放送受信機２１に送信される。
【００２３】
一方、放送サービス（番組）に関する登録情報（番組登録情報）は、放送サービス（番組）パック毎（後述）にシステム管理装置３１に登録され、ＥＣＭ生成装置１２２でＥＣＭに組込まれる。その後、番組登録情報が組込まれたＥＣＭは、各スクランブラ１２４に送信され、スクランブラ１２４で放送サービス（番組）毎の放送信号に多重化されスクランブルされた後、放送系ネットワーク１１５を通じて双方向デジタル放送受信機２１に送信される。
【００２４】
加入者が双方向デジタル放送受信機２１のリモコン（図示せず）を操作し、特定のチャンネルの放送サービス（番組）を選局すると、双方向デジタル放送受信機２１は、放送信号に多重化された番組登録情報が組込まれたＥＣＭを抽出し、ＣＡＳカード１１４に送信する。ＣＡＳカード１１４は、あらかじめ受信しているＥＭＭ内の契約登録情報とＥＣＭ内の番組登録情報とを比較し、一致していれば、デスクランブル用の復号鍵を双方向デジタル放送受信機２１に渡す。双方向デジタル放送受信機２１は受け取った復号鍵を用いて放送信号を復号する。これにより加入者は選局したチャンネルの放送サービス（番組）を視聴できる。ＥＣＭ内の番組登録情報がＥＭＭ内の契約登録情報と一致していなければ、「契約されていない」旨のエラーコードを双方向デジタル放送受信機２１に返す。双方向デジタル放送受信機２１はこのエラーコードを元に、「契約されていない」旨のパネル表示を画面上に行う。
【００２５】
一方、放送事業者が運用するポータルサービスを提供するポータルサーバ３２では、双方向デジタル放送受信機２１に対して、通信系ネットワーク１１６を経由し、放送サービス（番組）の案内等の様々な情報の提供を行っている。
【００２６】
図９の従来例では、ポータルサーバ１２５は、単に放送サービス（番組）に関連した情報を提供するに留まり、ポータルサービス画面を操作して、ポータルサービス画面で紹介する未契約の放送サービス（番組）の視聴を開始することはできなかった。
【００２７】
ポータルサーバ３２は、放送サービス（番組）毎の固有の識別番号（サービスＩＤ、すなわちチャンネル番号に相当）で放送事業者装置１１内のシステム管理装置３１に、放送サービス（番組）の番組登録情報を問い合わせ、システム管理装置３１は、サービスＩＤに基づき自装置に登録された放送サービス（番組）パック毎に登録された番組登録情報をポータルサーバ３２に応答する。なお、放送サービス（番組）パックとは、複数の放送サービス（番組）を１つの契約パックとして１つの番組登録情報を付与されたものをいう。
【００２８】
ポータルサーバ３２は、提供するポータルサービス画面に表示した放送サービス（番組）に放送事業者装置１１内のシステム管理装置３１から入手した番組登録情報を記載する。
【００２９】
加入者がポータルサービス画面から選択した放送サービス（番組）が未契約の放送サービス（番組）の場合、双方向デジタル放送受信機２１は「契約されていない」旨のパネル表示を画面上で行わず、ポータルサービス画面上で、加入者が選択した放送サービス（番組）について、追加契約を行うか否かの表示を行う。加入者が双方向デジタル放送受信機２１のポータルサービス画面を操作し、ポータルサーバ３２が提供する未契約の放送サービス（番組）の契約申し込み処理を行うと、ポータルサーバ３２は、双方向デジタル放送受信機２１に対してＣＡＳカード１１４のＣＡＳＩＤと番組契約情報を問い合わせ、双方向デジタル放送受信機２１は、加入者が契約申し込みを行った放送サービス（番組）に記載された番組契約情報とＣＡＳＩＤをポータルサーバ３２に応答する。ポータルサーバ３２は、入手した加入者が契約申し込みを行った放送サービス（番組）に対する番組登録情報とＣＡＳＩＤを、放送事業者装置１１内のシステム管理装置３１に送信する。
【００３０】
システム管理装置３１は、ポータルサーバ３２から受信したＣＡＳＩＤに対して紐付けられている契約登録情報に、受信した番組登録情報を加算し（更新された契約登録情報）、ＥＭＭ生成装置１２３に更新された契約登録情報が組み込まれたＥＭＭ（更新されたＥＭＭ）の送信を指示する。ＥＭＭ生成装置１２３は、更新されたＥＭＭをスクランブラ１２４経由で双方向デジタル放送受信機２１のＣＡＳカード１１４宛てに送信する。
【００３１】
双方向デジタル放送受信機２１のＣＡＳカード１１４は受信した更新されたＥＭＭから更新された契約登録情報を取り出し、保持する契約登録情報を更新する。更新された契約登録情報には、当初未契約であった放送サービス（番組）の番組登録情報が加算されているため、ＣＡＳカード１１４が当初未契約であった放送サービス（番組）の放送信号に多重されたＥＣＭ内の番組登録情報を取り出し、保持している更新された契約登録情報と比較し一致を確認すると、スクランブル解除用の復号鍵を双方向デジタル放送受信機２１に渡す。双方向デジタル放送受信機２１は受け取った復号鍵によって、当初未契約であった放送サービス（番組）の放送信号をデスクランブルすることができ、加入者は放送サービス（番組）を放送事業者に電話をして追加契約を申し込む等の手続きなしに視聴することができる。
【００３２】
加入者情報登録装置１１２の登録情報と、放送事業者装置１１の登録情報の整合性を取るため、システム管理装置３１は、契約を更新したＣＡＳカード１１４のＣＡＳＩＤと更新された契約登録情報を加入者情報登録装置１１２に通知する。加入者情報登録装置１１２は通知されたＣＡＳＩＤに紐付けられた契約登録情報を更新する。
【００３３】
図２は、本発明の実施例１における契約登録情報と番組登録情報の例である。
【００３４】
図２を用いて、契約登録情報と番組登録情報に関する仕組みをより詳細に説明する。
【００３５】
図２の６１（１）、６１（２）、６１（３）は３人の加入者が契約する契約登録情報であり、６２（１）、６２（２）、６２（３）は３つの放送サービス（番組）の番組登録情報である。例えば、６１（１）の加入者は、ベーシックパック契約をしており、６１（２）の加入者はベーシックパック契約に加えスポーツパック契約をしており、６１（３）の加入者はベーシックパック契約に加えアダルトパック契約をしているとする。すなわち、契約登録情報の１ビット目がベーシックパック契約に相当し、２ビット目がスポーツパック契約に相当し、３ビット目がアダルトパック契約に相当するとする。
【００３６】
ベーシックパック契約にはサービスＩＤ（チャンネル番号に相当）が１０１から１１０まで各々割り当てられており、スポーツパック契約にはサービスＩＤが２０１から２１０まで各々割り当てられており、アダルトパック契約にはサービスＩＤが３０１から３１０まで各々割り当てられているとする。
【００３７】
サービスＩＤが１０１の放送サービス（番組）の場合、番組登録情報はベーシックパック契約に含まれるサービスのため、６１（１）、６１（２）、６１（３）の全ての加入者で視聴できる。サービスＩＤが２０１の放送サービス（番組）の場合、番組登録情報はスポーツパック契約に含まれるサービスのため、６１（２）の加入者が視聴できる。サービスＩＤが３０１の放送サービス（番組）の場合、番組登録情報はアダルトパック契約に含まれるサービスのため、６１（３）の加入者が視聴できる。
【００３８】
ここで、加入者を６１（１）のベーシックパック契約の加入者とし、視聴を希望した放送サービス（番組）がサービスＩＤ３０１の放送サービス（番組）であったとする。ポータルサーバ３２は、システム管理装置３１にサービスＩＤ３０１を通知し、このサービスＩＤに対する番組登録情報６２（３）を得ており、ポータルサービス画面から提供するサービスＩＤ３０１の放送サービス（番組）には、番組登録情報６２（３）が予め記載されてある。加入者６１（１）が、ポータルサービス画面を操作し、サービスＩＤ３０１の視聴を希望し契約追加の申し込みをすると、ポータルサーバ３２は、双方向デジタル放送受信機２１から番組登録情報と加入者６１（１）のＣＡＳＩＤを入手し、システム管理装置３１に通知する。システム管理装置３１は、ポータルサーバ３２から受信したＣＡＳＩＤに対して紐付けられている加入者６１（１）の契約登録情報を検索し、６１（１）の契約登録情報を読み出す。この契約登録情報０１（１６進表記）に、通知された番組登録情報６２（３）である０４（１６進表記）を加算し、０５（１６進表記）、すなわち６１（３）の加入者の契約登録情報と同一として、加入者６１（１）のＣＡＳカード宛に、更新されたＥＭＭを送信する。
【００３９】
図３から図６のポータルサービス画面の表示例を用い、未契約の放送サービス（番組）の契約追加を申し込む際の画面の遷移についてより具体的に説明する。
【００４０】
図３はポータルサービス画面７０のＴＯＰ画面で、加入者がリモコンのカーソルを操作しポータル画面メニュー７1の「おすすめ番組」を選択すると、ポータルサーバ３２は、双方向デジタル放送受信機２１のブラウザと連携し、図４に示すように「おすすめ番組一覧」の番組宣伝を表示する。
【００４１】
図４に示すポータルサービス画面７０で加入者が「番組宣伝」のいずれかを選択すると、選択された番組宣伝は図５に示すポータルサービス画面７０に遷移する。
【００４２】
図５に示すポータルサービス画面７０で「番組視聴」を選択すると、この放送サービス（番組）の番組登録情報は加入者のＣＡＳカード１１４の契約登録情報と合致しないため、加入者の双方向デジタル放送受信機２１でデスクランブルすることが出来ず、図６に示すポータルサービス画面７０に遷移する。
【００４３】
図６に示すポータルサービス画面７０で加入者がこの放送サービス（番組）の視聴契約を希望する場合、「視聴契約する」というポータル画面メニューを選択する。この「視聴契約する」というポータル画面メニューには、この放送サービス（番組）に対する番組登録情報が記載されており、以降、上述した通り、加入者のＣＡＳＩＤ宛に更新されたＥＭＭが送信され、契約登録情報が更新される。
【００４４】
本発明の放送事業者装置によれば、ポータルサービス画面を通して、加入者による未契約の放送サービス（番組）の契約追加の処理を自動化することで、加入者の利便性と放送事業者の運用性の向上を図ることが可能となる。
【実施例２】
【００４５】
図７は、本発明の実施例２における双方向デジタル放送ネットワークシステムである。ポータルサーバ３３は、入手した番組登録情報とＣＡＳＩＤを、放送事業者装置１２内のシステム管理装置３１に送信するまでの動作は実施例１と同じである。
【００４６】
本発明の実施例２では、この後、ポータルサーバ３３は、ＥＭＭ生成装置１２３に放送サービス（番組）の追加契約が行われたＣＡＳＩＤに対する更新されたＥＭＭを要求し、取得したＥＭＭを、通信系ネットワーク１１６を経由して、双方向デジタル放送受信機２１宛てに送信する。双方向デジタル放送受信機２２は、装着されたＣＡＳカード１１４にＥＭＭを送信し、応答を双方向デジタル放送受信機２２のブラウザに返し、ブラウザはＥＭＭ受信応答をポータルサーバ３３に返信する。
【００４７】
これにより、実施例１により、ポータルサービス画面からの契約追加の自動化に加え、ＥＭＭ受信の確認もポータルサーバ３３で行えるしくみを構築できる。
【００４８】
なお、本実施例では、ポータルサーバ３２、３３から提供するポータルサービス画面に従って未契約の放送サービス（番組）を追加契約する場合について記述したが、ＥＰＧを元に加入者が未契約の放送サービス（番組）を選局しようとした場合も同様である。従来は、「契約されていない」旨のパネル表示を画面上に行うだけであったが、「契約されていない」旨のエラーコードをＣＡＳカード１１４から受け取った場合、双方向デジタル放送受信機２１、２２は、ポータルサーバ３２、３３にアクセスし、「視聴契約する」というガイドメニューを表示し、以降、本実施例１で示した手順に従って、加入者のＣＡＳカード１１４に対して、契約更新されたＥＭＭを送信し、放送サービス（番組）に対する契約登録情報を追加することも可能である。
【００４９】
なお、本実施では、放送サービス（番組）の追加申し込みの場合について記載したが、放送サービス（番組）の解約を行う場合も同様である。すなわち、ポータルサーバ３２、３３から提供するポータルサービス画面で、放送サービス（番組）の解約のポータル画面メニューを用意し、加入者がポータル画面メニューを操作することにより、放送サービス（番組）の解約を確認し、確認した放送サービス（番組）の番組登録情報とＣＡＳカード１１４のＣＡＳＩＤを解約情報として、放送事情者装置１１、１２内のシステム管理装置３１に送信する。システム管理装置３１は、受信したＣＡＳＩＤに対して保持している契約登録情報に、受信した番組契約情報を減算し、ＥＭＭ生成装置１２３にＣＡＳＩＤに対する減算した契約登録情報を送信指示する。ＥＭＭ生成装置１２３は、更新した契約登録情報を組み込んだＥＭＭを、スクランブラ１２４を経由し、双方向デジタル放送受信機２１、２２のＣＡＳカード１１４宛て送信する。
【００５０】
なお、本実施例では、番組の追加申し込みの場合、ポータルサーバ３２、３３からの指示で、番組登録情報とＣＡＳＩＤを要求したが、番組登録情報と双方向デジタル放送受信機２１を識別する識別番号（ＳＴＢＩＤ）を要求しても良い。ポータルサーバ３２、３３は、取得した番組登録情報とＳＴＢＩＤをシステム管理装置３１に送信する。システム管理装置３１は、事前に加入者情報登録装置１１２から登録されたＳＴＢＩＤと契約登録情報から、該当するＳＴＢＩＤに対する契約登録情報を検索し、要望のあった番組登録情報に相当する契約登録情報の追加処理を行っても良い。
【００５１】
なお、本実施例では、番組の追加申し込みの場合、ポータルサーバ３２、３３からの指示でＣＡＳＩＤを要求したが、ＣＡＳＩＤに加えＳＴＢＩＤを要求しても良い。ポータルサーバ３２、３３は、取得した番組登録情報とＣＡＳＩＤに加えＳＴＢＩＤをシステム管理装置３１に送信する。システム管理装置３１は、該当するＣＡＳＩＤに対する契約登録情報を検索し、要望のあった番組登録情報に相当する契約登録情報を追加する際に、保持しているＳＴＢＩＤと通知されたＳＴＢＩＤを比較し、一致した場合のみ契約追加処理を行ってもよい。
【００５２】
なお、本実施例では、ポータルサーバ３２、３３から提供するおすすめ番組の「視聴契約する」というポータル画面メニューに放送サービス（番組）の番組登録情報を記載したが、代わりに放送サービス（番組）毎の固有の識別番号（サービスＩＤ）を記載しても良い。ポータルサーバ３２、３３は、入手した加入者が契約申し込みを行った放送サービス（番組）に対するサービスＩＤとＣＡＳＩＤを、放送事業者装置１１内のシステム管理装置３１に送信する。システム管理装置３１は、ポータルサーバ３２、３３から受信したサービスＩＤに対応した番組登録情報を読み出し、同様に受信したＣＡＳＩＤに対して紐付けられている契約登録情報に、番組登録情報を加算し（更新された契約登録情報）、ＥＭＭ生成装置１２３に更新された契約登録情報が組み込まれたＥＭＭ（更新されたＥＭＭ）の送信を指示する。以降は上述の実施例と同様である。
【００５３】
なお、本実施例では、ポータルサーバ３２、３３から提供するおすすめ番組の「視聴契約する」というポータル画面メニューに放送サービス（番組）の番組登録情報を記述したが、ここに限らず、例えば、「番組宣伝」のコンテンツに記述し、加入者が「視聴契約する」というポータル画面メニューを選択した際に番組登録情報を取得することとしても良い。
【００５４】
なお、本実施例では、複数の放送サービス（番組）を１つのパックとして１つの番組登録情報が登録されている例で説明したが、これに限らず、１つの放送サービス（番組）に１つの番組登録情報を登録した構成でも良い。
【産業上の利用可能性】
【００５５】
本発明にかかる放送事業者装置は、加入者の利便性と放送事業者の運用性の向上を図ることが可能であり、ポータルサービス画面を通して、加入者による未契約の放送サービス（番組）の契約追加の処理を自動化する放送事業者装置として有用である。
【符号の説明】
【００５６】
１、２    双方向デジタル放送ネットワークシステム
１１、１２    放送事業者装置
２１    双方向デジタル放送受信機
３１    システム管理装置
３２、３３    ポータルサーバ
７０    ポータルサービス画面
７１    ポータル画面メニュー
１１２    加入者情報登録装置
１１４    ＣＡＳカード
１１５    放送系ネットワーク
１１６    通信系ネットワーク
１２２    ＥＣＭ生成装置
１２３    ＥＭＭ生成装置
１２４    スクランブラ
【図１】
2011003945.tif 000003
【図２】
2011003945.tif 000004
【図３】
2011003945.tif 000005
【図４】
2011003945.tif 000006
【図５】
2011003945.tif 000007
【図６】
2011003945.tif 000008
【図７】
2011003945.tif 000009
【図８】
2011003945.tif 000010
【図９】
2011003945.tif 000011